(57)【要約】【課題】誘虫捕獲装置において、捕獲効率及び誘虫効率を向上する。【解決手段】誘虫捕獲装置１０は、飛翔性の虫を誘引する誘虫光を発する光源２と、この光源２からの光を反射する反射板３と、光源２からの光に誘引された虫を捕獲する捕獲部４と、を備え、反射板３は、波長が略３４０〜３８０ｎｍの光に対する全反射率が略５０％以上で、かつ、拡散率が略３０％以上となるように構成されている。そのため、反射板３が、誘虫性の高い光を拡散反射して広範囲へ照射することにより、誘虫捕獲装置１０の誘虫効率が向上し、また、捕獲部４の反射特性を反射板３と同様にすることにより、捕獲部４における捕獲効率が向上する。【選択図】図１
2008029206.tif 000002
【特許請求の範囲】
【請求項１】
飛翔性の虫を誘引する誘虫光を発する光源と、この光源からの光を反射する反射板と、前記光源からの光に誘引された虫を捕獲する捕獲部と、を備えた誘虫捕獲装置であって、
前記反射板は、波長が略３４０〜３８０ｎｍの光に対する全反射率が略５０％以上となり、拡散率が略３０％以上となるように構成されていることを特徴とする誘虫捕獲装置。
【請求項２】
前記反射板は、波長が略３８０〜４７０ｎｍの光に対する全反射率が略５０％以上となるように構成されていることを特徴とする請求項１に記載の誘虫捕獲装置。
【請求項３】
前記捕獲部は、前記光源の下方位置に設けられ、前記反射板と同じ反射特性を有する部材により構成されていることを特徴とする請求項１又は請求項２に記載の誘虫捕獲装置。
【請求項４】
前記反射板は、前記捕獲部に近接するほど前記拡散率が大きくなるように構成されていることを特徴とする請求項１乃至請求項３のいずれか一項に記載の誘虫捕獲装置。
【請求項５】
前記捕獲部の表面に透明粘着シートが貼着されていることを特徴とする請求項１乃至請求項４のいずれか一項に記載の誘虫捕獲装置。
【発明の詳細な説明】
【技術分野】
【０００１】
本発明は、光源から照射される光により虫を誘引捕獲する誘虫捕獲装置に関する。
【背景技術】
【０００２】
従来から、この種の誘虫捕獲装置として、例えば、特許文献１に示されるように、紫外線ランプから照射された光を、反射板を用いて反射させ、害虫を捕獲するための粘着紙上の紫外線量を多くすることにより、効率的に粘着紙上に虫を吸着する誘虫捕獲装置が知られている。また、特許文献２に示されるように、紫外線ランプの上部に反射板を設けて紫外線を周辺に反射させ、更に紫外線ランプの周囲に透明な板を設けて、紫外線に誘引された虫が透明な板に衝突したところを粘着トラップにより捕獲する誘虫捕獲装置が知られている。
【特許文献１】特開平５−１６８３８６号公報
【特許文献２】特開２００４−２７５０６９号公報
【発明の開示】
【発明が解決しようとする課題】
【０００３】
しかしながら、特許文献１に示される誘虫捕獲装置は、反射板によって粘着紙上の紫外線量が多くなるので、虫の捕獲効率は上がるが、装置の周囲に照射される紫外線量が少なくなるので、誘虫効率が低い。また、特許文献２に示される誘虫捕獲装置は、透明な衝突板を設けたことにより、粘着トラップにおける虫の捕獲効率は上がるが、反射板自体は誘虫性を向上させるための構成等を備えたものではないので、その誘虫効率においては、既存の誘虫捕獲装置と比べて顕著な差異は無かった。
【０００４】
本発明は、上記課題を解決するものであり、誘虫光を広範囲に照射することにより効果的に虫を誘引することができ、また、誘引された虫を効率的に捕獲することができる誘虫捕獲装置を提供することを目的とする。
【課題を解決するための手段】
【０００５】
上記課題を解決するために、請求項１の発明は、飛翔性の虫を誘引する誘虫光を発する光源と、この光源からの光を反射する反射板と、前記光源からの光に誘引された虫を捕獲する捕獲部と、を備えた誘虫捕獲装置であって、前記反射板は、波長が略３４０〜３８０ｎｍの光に対する全反射率が略５０％以上となり、拡散率が略３０％以上となるように構成されているものである。
【０００６】
また、請求項２の発明は、請求項１に記載の誘虫捕獲装置において、前記反射板は、波長が略３８０〜４７０ｎｍの光に対する全反射率が略５０％以上となるように構成されているものである。
【０００７】
請求項３の発明は、請求項１又は請求項２に記載の誘虫捕獲装置において、前記捕獲部は、前記光源の下方位置に設けられ、前記反射板と同じ反射特性を有する部材により構成されているものである。
【０００８】
請求項４の発明は、請求項１乃至請求項３のいずれか一項に記載の誘虫捕獲装置において、前記反射板は、前記捕獲部に近接するほど前記拡散率が大きくなるように構成されているものである。
【０００９】
請求項５の発明は、請求項１乃至請求項４のいずれか一項に記載の誘虫捕獲装置において、前記捕獲部の表面に透明粘着シートが貼着されているものである。
【発明の効果】
【００１０】
請求項１の発明によれば、誘虫性の高い波長が略３４０〜３８０ｎｍの光を、拡散反射板により拡散反射させて、誘虫光を広範囲に照射することができるので、従来の拡散率の低い反射板を設けた場合よりも効果的に虫を誘引することができる。
【００１１】
請求項２の発明によれば、可視光を含む波長が３８０〜４７０ｎｍの光を反射させるので、より多くの虫を誘引し、また、ユーザが光源の点灯を視認できる。
【００１２】
請求項３の発明によれば、捕獲部自体が拡散反射板として機能し、捕獲部の誘虫性が高まるので、効果的に虫を誘引し、また、誘引された虫を効率的に捕獲することができる。
【００１３】
請求項４の発明によれば、捕獲部の近傍において誘虫性の高い光の拡散反射が大きくなり、虫が捕獲部近傍に誘引されるので、誘引された虫が捕獲部において捕獲され易くなる。
【００１４】
請求項５の発明によれば透明粘着シートの貼着により捕獲部の表面の反射分光特性により、捕獲部において誘虫性の高い光の拡散反射が大きくなり、透明粘着シートに誘引される虫が増えるので、誘引された虫を更に効率的に捕獲することができる。
【発明を実施するための最良の形態】
【００１５】
以下、本発明の第１の実施形態に係る誘虫捕獲装置について、壁掛け式の誘虫捕獲装置を例として、図１（ａ）（ｂ）を参照して説明する。壁掛け式の誘虫捕獲装置１０は、壁に固定される装置本体１、飛翔性の虫を誘引する誘虫光を照射する光源２及び光源２の光を反射する反射板３を備える。また、上記の光源２の下方位置には、光源２から照射された光に誘引された虫を捕獲するための捕獲部４が配置されている。
【００１６】
装置本体１は、前面及び底面が開口した筐体であり、その背面には誘虫捕獲装置１０を壁面に固定するためのネジやボルト（図示せず）が配置され、電源や安定器（図示せず）といった光源２の点灯制御に必要な電子機器等を備える。また、装置本体１の材質には、例えば、ステンレスＳＵＳといった風雨に対する十分な強度と耐久性を備えた金属材料が用いられる。
【００１７】
光源２は、波長が略３４０〜３８０ｎｍの光を照射することができる光源であり、汎用の捕虫器用蛍光灯（ＵＶ-Ａランプ）が用いられる。一般に夜行性昆虫の波長特性に対する視力感度は略２４０〜５８０ｎｍであり、略３６０ｎｍ付近の波長の光が最も誘虫性が高いと考えられている。従って、誘虫光として用いられる光源２は、少なくとも波長が略３４０〜３８０ｎｍである紫外光を照射することができる必要がある。好ましくは、より多くの虫を誘引することができ、また、ユーザが光源２の点灯を視認できるよう、より長波長側（３８０〜４７０ｎｍ）の紫青色光も照射することができる光源がよい。但し、５００ｎｍ以上の波長、特に５８０ｎｍ付近の黄色光を照射する光源は避虫性を有するため好ましくない。
【００１８】
反射板３は、光源２から照射された光を装置本体２の前面開口部の方へ反射するように配置されている。この反射板３には、例えば、アルミ拡散反射板、日新製鋼製ステンレスＮＳＳ４３１ＤＰ−２拡散反射板又は多層膜拡散反射板が用いられる。これらの拡散反射板及び従来の反射板における各反射分光特性を図２に示す。同図において、Ａは反射板３に用いられるアルミ拡散反射板の反射分光特性を、Ｂは日新製鋼製ステンレスＮＳＳ４３１ＤＰ−２拡散反射板の反射分光特性を、Ｃは多層膜拡散反射板の反射分光特性を、Ｄは従来の反射板であるステンレスＳＵＳ−３０４反射板の反射分光特性を、Ｅは白色メラミン塗装反射板の反射分光特性を示す。反射板３に用いられる拡散反射板は、何れも波長が略３４０〜３８０ｎｍの光に対する全反射率が略５０％以上となるように構成されており、好ましくは略６５％以上である。一方、従来の反射板は、波長が略３４０〜３８０ｎｍの光に対する全反射率が略３０％以下である。すなわち、波長が略３４０〜３８０ｎｍの光に対する全反射率が略５０％以上となるよう構成されている本実施形態の反射板３は、誘虫性の高い光を効率良く反射することができるので、従来の反射板よりも誘虫効率を向上させることができる。また、本実施形態の反射板３は波長が略３８０〜４７０ｎｍの光に対する全反射率も略５０％以上となるよう構成されており、光源２から照射された可視光を全反射されるので、より多くの虫を誘引することができ、また、ユーザが光源２の点灯を視認することができる。なお、上記Ａ〜Ｃに示された拡散反射板の他に、ＵＶ反射微粒子（ＢａＳＯ3）塗布白色反射板やＲｈ（ロジウム）メッキ拡散反射板等が用いられてもよい。
【００１９】
また、上記の反射板３は、波長が略３４０〜３８０ｎｍの光に対する拡散率が略３０％以上となるよう構成されている。ここで拡散率は、下記の式により求められる。
【００２０】
【数１】
2008029206.tif 000003
【００２１】
全反射率は近似しているが、拡散率が段階的に異なる各反射板（実施例１〜８及び比較例１）における虫の捕獲比率を下記の表１に示す。なお、表１では、波長が略３４０〜３８０ｎｍの光に対する全反射率及び拡散率の平均値を示している。また、実施例１〜８の反射板における捕獲比率は、比較例１に示される拡散率１．５％の反射板における虫の捕獲量を１００％としたときの対比により表わされる。
【００２２】
【表１】
2008029206.tif 000004
【００２３】
表１から明らかなように、拡散率が略３０％以上の反射板（実施例１〜５）は、拡散率が１．５％の反射板（比較例１）に対して１．５倍以上の捕獲比率を示し、特に、拡散率が略５０％以上の反射板（実施例１〜３）は、約２倍の捕獲比率を示した。上記の結果は、拡散率の低い反射板は、特定の方向にしか光を反射しないため、光の照射面積が狭いが、拡散率の高い拡散反射板は、多方向へ光を拡散反射するため、より広範囲に誘虫光を照射することができ、誘虫効率を向上させることができるものと考えられる。従って、上記の拡散率が略３０％以上である拡散反射板を用いることにより、捕獲比率をより向上させた誘虫捕獲装置とすることができる。
【００２４】
また、反射板３の拡散率は、捕獲部４に近接するほど大きくなるように構成されることがより望ましい。例えば、図１（ａ）（ｂ）に示されるように、反射板３は、捕獲部４の近接部ａの拡散率が９４％であり、中間部ｂが７０％、離遠部が５０％となるように構成される。反射板３が上記のように構成されることにより、誘虫性の高い光が捕獲部４の近傍により多く拡散反射するようになるので、光源２により誘引された虫が捕獲部４の近傍に集まることにより、捕虫効率がより向上する。
【００２５】
捕獲部４は、装置本体１の底面に配置されるカバー５、誘引された虫を捕獲する粘着シート６及び粘着シート受け７を備えている。カバー５は、上面が開口した筐体であり、その開口部が装置本体１の底面開口部と適合するように形成されている。カバー５の材質には、紫外線吸収剤無しのメタクリル樹脂（ＰＭＭＡ）、ポリカーボネイト樹脂（ＰＣ）又は塩化ビニル等が用いられる。また、粘着シート６は、ポリエチレンテレフタレート（ＰＥＴ）、ポリプロピレン、メタクリル樹脂（ＰＭＭＡ）又はポリエチレン等から成る透明なシート下地に粘着剤としてブチレン、ウレタン又は天然ゴム等を塗布したものが用いられる。
【００２６】
粘着シート受け７は、図１（ａ）に示されるように、光源２の下方位置であって、光源２から照射される光に対向するように設置されている。この粘着シート受け７には、アルミ拡散反射板、日新製鋼製ステンレスＮＳＳ４３１ＤＰ−２拡散反射板、多層膜拡散反射板、ＵＶ反射微粒子（ＢａＳＯ3）塗布白色反射板又はＲｈ（ロジウム）メッキ拡散反射板等が用いられる。すなわち、粘着シート受け７は、上記の反射板３と同様に、波長が略３４０〜３８０ｎｍの光に対する全反射率が略５０％以上で、かつ、拡散率が略３０％以上である反射分光特性を有した材質から構成されている。そのため、粘着シート受け７において、光源２の誘虫光が拡散反射して、粘着シート６による捕虫効率が向上することになる。なお、粘着シート６のシート下地に反射板３と同様の反射分光特性を持たせることにより、上記の粘着シート受け７と同様に、誘虫性を向上させることができる。
【００２７】
次に、本発明の第２の実施形態に係る天井直付け式の誘虫捕獲装置について、図３（ａ）（ｂ）を参照して説明する。天井直付け式の誘虫捕獲装置２０は、装置本体２１が天井面に固定される装置本体２１、上記の光源２と同様の光源２２、反射板２３及び捕獲部２４を備えている。この天井直付け式の誘虫捕獲装置２０において、光源２２は装置本体２１の略中央に配置され、光源２２の左右両側に夫々反射板２３が設けられる。また、反射板２３には、波長が略３４０〜４７０ｎｍの光に対する全反射率が略５０％以上であり、拡散率が略３０％以上であるアルミ拡散反射板が用いられる。光源２２から照射された誘虫光は、これらの反射板２３により、誘虫捕獲装置２０の左右両側面へ拡散反射され、装置２０周辺の広範囲に照射される。この光に誘引された虫は、上記第１の実施形態と同様に、光源２２の下方位置に設けられ、粘着シート２７を備えた捕獲部２４において捕獲される。
【００２８】
次に、本発明の第３の実施形態に係る電撃式の誘虫捕獲装置について、図４を参照して説明する。電撃式の誘虫捕獲装置３０は、装置本体３１、光源３２、反射板３３及び捕獲部３４の他に、電撃格子３５を備えている。光源３２は、上記第１の実施形態に示した光源２と同様の誘虫光を照射する光源が用いられる。反射板３３は、光源３２の上部位置に設けられ、波長が略３４０〜４７０ｎｍの光に対する全反射率が略５０％以上であり、拡散率が略３０％以上であるアルミ拡散反射板が用いられる。光源３２から照射された誘虫光は直接的に又は反射板３３により拡散反射されて、装置周辺の広範囲に照射される。この光に誘引された虫は、電撃格子３５による電撃を受けてショック死し、捕獲部３４において回収される。この電撃式の誘虫捕獲装置３０においては、虫をショック死させるので、上記の捕獲部４等のように粘着シート等は不要である。
【００２９】
次に、本発明の第４の実施形態に係る吸引式の誘虫捕獲装置について、図５を参照して説明する。吸引式の誘虫捕獲装置４０は、装置本体４１、光源４２、反射板４３及び捕獲部４４の他に、虫吸引ファン４５及びモータ４６を備えている。光源４２は、上記第１の実施形態に示した光源２と同様の誘虫光を照射する光源が用いられる。反射板４３は、光源４２の上部位置に設けられ、波長が略３４０〜４７０ｎｍの光に対する全反射率が略５０％以上であり、拡散率が略３０％以上であるアルミ拡散反射板が用いられる。また、虫吸引ファン４５は、波長が略３４０〜４７０ｎｍの光に対する全反射率が略５０％以上であり、拡散率が略３０％以上となるように表面塗装された樹脂から形成される。光源４２から照射された誘虫光は、反射板４３及び虫吸引ファン４５により拡散反射されて、装置周辺の広範囲に照射される。この光に誘引された虫は虫吸引ファン４５により捕獲部４４へ吸引される。この捕獲部４４は、虫収集用の網であり、粘着シート等は用いられない。
【００３０】
次に、本発明の第５の実施形態に係る蒸散殺虫薬式の誘虫捕獲装置について、図６を参照して説明する。吸引式の誘虫捕獲装置５０は、装置本体５１、上記の光源２と同様の光源５２、反射板５３及び捕獲部５４を備えている。反射板５３は、光源５２の下方位置であって、光源５２に対して略垂直になるよう設けられている。この反射板５３は、波長が略３４０〜４７０ｎｍの光に対する全反射率が略５０％以上であり、拡散率が略３０％以上であるアルミ拡散反射板が用いられる。また、誘虫捕獲装置５０は、その側面に透光性材料から成るカバー５５を備えていて、光源５２から照射され反射板５３により拡散反射された光は、カバー５５を透過して装置周辺の広範囲へ照射される。また、このカバー５５には、光に誘引された虫を装置内へと引き入れる虫侵入口５６が設けられている。更に、捕獲部５４には、蒸散殺虫剤５７が備えられている。つまり、光に誘引された虫は虫侵入口５６から装置内に侵入し、蒸散殺虫剤５７により殺虫されて捕獲部５４において回収される。
【００３１】
次に、本発明の第６の実施形態に係る粘着シート式の誘虫捕獲装置について、図７（ａ）（ｂ）を参照して説明する。粘着シート式の誘虫捕獲装置６０は、装置本体６１、上記の光源２と同様の光源６２及び捕獲部６４を備えている。また、誘虫捕獲装置６０の側面には所定の間隔でガード６５又はルーパ６６が設けられている。そして、これらガード６５又はルーパ６６には、波長が略３４０〜４７０ｎｍの光に対する全反射率が略５０％以上であり、拡散率が略３０％以上であるアルミ拡散反射材が用いられる。光源６２から照射された光は、ガード６５又はルーパ６７の間隔を通過して直接的に又はガード６５又はルーパ６６に接触して拡散反射して装置周辺の広範囲へ照射される。光に誘引された虫は、捕獲部６４に備えられた粘着シート６７によって捕獲される。
【００３２】
また、上記実施形態においては、捕獲部６４が、波長が略３４０〜４７０ｎｍの光に対する全反射率が略５０％以上であり、拡散率が略３０％以上となるように表面塗装したステンレスＳＵＳ拡散反射材によって形成されている。従って、捕獲部６４自体が拡散反射板として機能し、捕獲部６４の誘虫性が高まるので、粘着シート６７における捕虫効率が向上する。
【００３３】
次に、本発明の第７の実施形態に係る壁掛け粘着シート式の誘虫捕獲装置について、図８（ａ）乃至（ｃ）を参照して説明する。壁掛け粘着シート式の誘虫捕獲装置７０は、装置本体７１、上記の光源２と同様の光源７２、粘着シート７７及び樹脂等から成るカバー７５を備えている。図８（ａ）は、壁面に又は天井面に波長が略３４０〜４７０ｎｍの光に対する全反射率が略５０％以上であり、拡散率が略３０％以上となるよう形成されたシート部材７６を貼付した装置であり、図８（ｂ）は、粘着シート７７のシート下地に上記と同様の反射分光特性を持たせた装置であり、また、図８（ｃ）は、装置本体７１の表面にアルミ蒸着膜を形成して上記と同様の反射分光特性を持たせた装置である。図（ａ）乃至（ｃ）に示された何れの粘着シート式の誘虫捕獲装置７０においても、光源７２から照射された光は、シート部材７６、粘着シート７４又は装置本体７１によって拡散反射されて装置周辺の広範囲へ照射される。光に誘引された虫は、各装置に備えられた粘着シート７７によって捕獲される。
【００３４】
次に、本発明の第８の実施形態に係る水盤式の誘虫捕獲装置について、図９を参照して説明する。水盤式の誘虫捕獲装置８０は、上記の光源２と同様の光源８２、水盤８３及び水盤８３を固定する固定足８５を備えている。水盤８３は、波長が略３４０〜４７０ｎｍの光に対する全反射率が略５０％以上であり、拡散率が略３０％以上である日新製鋼製ステンレスＮＳＳ４３１ＤＰ−２拡散反射板が用いられる。光源８２から照射された光は、水盤８３によって拡散反射されて、水盤の内面全体に照射される。光に誘引された虫は、水盤８３に貯えられた水の水面に落ちて捕獲される。
【００３５】
次に、本発明の第９の実施形態に係る誘虫灯９０について、図１０（ａ）（ｂ）を参照して説明する。誘虫灯９０は、上記の光源２と同様の光源９２及び反射板９３を備える。反射板９３は、波長が略３４０〜４７０ｎｍの光に対する全反射率が略５０％以上であり、拡散率が略３０％以上となるよう表面塗装したステンレスＳＵＳ拡散反射板が用いられる。光源９２から照射された光は、反射板９３によって拡散反射されて、誘虫灯９０周辺の広範囲に照射され、より多くの虫の効果的に誘引する。
【００３６】
なお、本発明は、上記構成に限られることなく種々の変形が可能である。すなわち、波長が略３４０〜３８０ｎｍの光に対する全反射率が略５０％以上で、かつ、拡散率が略３０％以上となるように構成された拡散反射部材は、光源２から照射された誘虫光を拡散反射して広範囲に照射させ、誘虫効率を向上させるものであれば、上記実施形態で示された反射板３や捕獲部４等の使用態様に限られない。
【図面の簡単な説明】
【００３７】
【図１】（ａ）は本発明の第１の実施形態に係る壁掛け式の誘虫捕獲装置の側断面図、（ｂ）はその正面図。
【図２】上記誘虫捕獲装置の反射板の分光特性と虫の捕獲比率を示す図。
【図３】（ａ）は本発明の第２の実施形態に係る天井直付け式の誘虫捕獲装置の側断面図、（ｂ）はその正面図。
【図４】本発明の第３の実施形態に係る電撃式の誘虫捕獲装置の半裁側面図。
【図５】本発明の第４の実施形態に係る吸引式の誘虫捕獲装置の側断面図。
【図６】本発明の第５の実施形態に係る蒸散殺虫薬式の誘虫捕獲装置の側断面図。
【図７】（ａ）（ｂ）はそれぞれ本発明の第６の実施形態に係る粘着シート式の誘虫捕獲装置の側断面図。
【図８】（ａ）（ｂ）（ｃ）はそれぞれ本発明の第７の実施形態に係る壁掛け粘着シート式の誘虫捕獲装置の側断面図。
【図９】本発明の第８の実施形態に係る水盤式の誘虫捕獲装置の斜視図。
【図１０】（ａ）は本発明の第９の実施形態に係る誘虫灯の斜視図、（ｂ）は同断面図。
【符号の説明】
【００３８】
１    誘虫捕獲装置
２    光源
３    反射板
４    捕獲部
６    粘着シート
７    粘着シート受け
１０    誘虫捕獲装置
【図１】
2008029206.tif 000005
【図２】
2008029206.tif 000006
【図３】
2008029206.tif 000007
【図４】
2008029206.tif 000008
【図５】
2008029206.tif 000009
【図６】
2008029206.tif 000010
【図７】
2008029206.tif 000011
【図８】
2008029206.tif 000012
【図９】
2008029206.tif 000013
【図１０】
2008029206.tif 000014